(57)【要約】【課題】脚周りからの尿漏れがなく、装着時の着用感に優れた使い捨ておむつを提供する。【解決手段】  液透過性のトップシートと、液不透過性かつ通気性のバックシートと、これら両シートの間に配置された吸収体と、前記吸収体の側縁の外方にある立体ギャザーを備えた使い捨ておむつにおいて、前記トップシートが２層の不織布からなり、第１層が（Ａ）Ｃｏ−ＰＰ／ＰＰ（鞘／芯）構造の繊維と（Ｂ）ＰＥ／ＰＥＴ（鞘／芯）構造の繊維の混合繊維、又は（Ａ）Ｃｏ−ＰＰ／ＰＰ（鞘／芯）構造の繊維と（Ｂ）ＰＥ／ＰＰ（鞘／芯）構造の繊維の混合繊維からなり、かつ配合割合（Ａ）：（Ｂ）が９０：１０〜６０：４０であり、第２層がＰＥ／ＰＥＴ（鞘／芯）構造の繊維からなり、第１層の坪量が５〜２０ｇ／ｍ２で、第２層の坪量が５〜２０ｇ／ｍ２であり、立体ギャザーがポリプロピレンを主体とする不織布からなり、その坪量が１３〜２５ｇ／ｍ２であることを特徴とする使い捨ておむつ。【選択図】なし【特許請求の範囲】
【請求項１】
液透過性のトップシートと、液不透過性かつ通気性のバックシートと、これら両シートの間に配置された吸収体と、前記吸収体の両側縁の外方にある立体ギャザーを備えた使い捨ておむつにおいて、
前記トップシートが２層の不織布からなり、第１層が（Ａ）ポリプロピレンコポリマーからなる鞘成分／ポリプロピレンからなる芯成分を有する芯鞘繊維と（Ｂ）ポリエチレンからなる鞘成分／ポリエチレンテレフタレートからなる芯成分を有する芯鞘繊維の混合繊維、又は（Ａ）ポリプロピレンコポリマーからなる鞘成分／ポリプロピレンからなる芯成分を有する芯鞘繊維と（Ｂ）ポリエチレンからなる鞘成分／ポリプロピレンからなる芯成分を有する芯鞘繊維からなる混合繊維からなり、かつ配合割合（Ａ）：（Ｂ）が９０：１０〜６０：４０であり、第２層がポリエチレンからなる鞘成分／ポリエチレンテレフタレートからなる芯成分を有する芯鞘繊維からなり、第１層の坪量が５〜２０ｇ／ｍ２で、第２層の坪量が５〜２０ｇ/ｍ２であり、立体ギャザーがポリプロピレンを主体とする不織布からなり、その坪量が１３〜２５ｇ／ｍ２であることを特徴とする使い捨ておむつ。
【請求項２】
前記トップシートと前記立体ギャザーが熱処理により接着されていることを特徴とする請求項１記載の使い捨ておむつ。
【請求項３】
前記おむつの両側側部には撥水性のポリプロピレンを主体とする不織布からなるサイドシートが配置され、トップシートの両側側部と重なり合う部分が熱エンボス処理により接着されて接着部が形成されていることを特徴とする請求項１又は２に記載の使い捨ておむつ。
【請求項４】
前記サイドシートは、前記接着部よりおむつの内側部分に延在しており、該延在している部分により前記接着部を起立点として上方に起立する一対の立体ギャザーが形成されていることを特徴とする請求項３記載の使い捨ておむつ。
【請求項５】
前記不織布の繊維は、前記第２層が肌に当たる上側の面に使用されており、前記第１層が吸収体側の面に使用されていることを特徴とする請求項１〜４のいずれかに記載の使い捨ておむつ。
【請求項６】
前記トップシートがカード不織布で形成されていることを特徴とする請求項１〜５のいずれかに記載の使い捨ておむつ。
【発明の詳細な説明】
【技術分野】
【０００１】
本発明は、立体ギャザーを有する使い捨ておむつに関するものである。さらに詳しくは、本発明は、トップシートと立体ギャザーの素材に配慮して、脚周りからの尿漏れを防止するとともに着用感に優れた使い捨ておむつに関する。
【背景技術】
【０００２】
使い捨ておむつ等の吸収性物品は、液透過性のトップシートと、液不透過性のバックシートと、これら両シートの間に配置された吸収体と、長手方向両側縁に沿ってトップシートとバックシートの間に配置された脚周り弾性部材とから基本的に形成されており、着用時に排泄された尿等の排泄物を液透過性のトップシートを介して吸収体に保持し、液不透過性のバックシートにより排泄物が吸収性物品の外側に漏れ出すのを防止し、さらに、脚周りの弾性部材により吸収性物品を着用者の脚周りにフィットさせて脚周りから排泄物が漏れ出すのを防止する構造になっている。
【０００３】
また、トップシート表面の、脚周り弾性体の内側には、おむつの長手方向に沿って、液不透過性の材料からなる一対の立体ギャザーが設けられており、排泄物が脚周りまで漏出するのを防止する堰の役割を果たしている。
【０００４】
これらのトップシートや立体ギャザーは、着用者の肌に直接触れるため、素材が硬かったり風合いが悪いと、着用者にとっては着用感の悪いものとなる。
このような問題点を改善するために、着用感の良いおむつ用のトップシートの材料として、綿が配合された不織布を使用する技術が開示されている（特許文献１）。しかしながら、綿繊維は本質的な性質として、繊維の中に水分が取り込まれるため、排尿したときに、尿の水分がトップシートの綿繊維に含まれて、濡れた状態になり、使い心地が悪いという問題がある。
【０００５】
また、立体ギャザーをトップシートと貼り合わせる場合に、ホットメルト接着剤を使用して接着する方法が広く知られている（例えば、特許文献２）。しかしながら、ホットメルト接着剤は固まると非常に固くなるため、着用者にとっては、やはり使い心地の良いものとは言えない。
【特許文献１】特開２００３−２６５５２８号公報
【特許文献２】特開平６−４７０７３号公報
【発明の開示】
【発明が解決しようとする課題】
【０００６】
本発明は、従来のおむつの有する問題点を改善し、脚周りからの尿漏れがなく、装着時の着用感のよい使い捨ておむつを提供することを目的とするものである。
【課題を解決するための手段】
【０００７】
上記従来の使い捨ておむつの有する問題点を解決するための本発明は、以下の各発明を包含する。
【０００８】
（１）液透過性のトップシートと、液不透過性かつ通気性のバックシートと、これら両シートの間に配置された吸収体と、前記吸収体の両側縁の外方にある立体ギャザーを備えた使い捨ておむつにおいて、
前記トップシートが２層の不織布からなり、第１層が（Ａ）Ｃｏ-ＰＰ／ＰＰ構造、すなわち、ポリプロピレンコポリマーからなる鞘成分／ポリプロピレンからなる芯成分を有する芯鞘繊維と（Ｂ）ＰＥ／ＰＥＴ、すなわち、ポリエチレンからなる鞘成分／ポリエチレンテレフタレートからなる芯成分を有する芯鞘繊維の混合繊維、又は（Ａ）Ｃｏ-ＰＰ／ＰＰ、すなわち、ポリプロピレンコポリマーからなる鞘成分／ポリプロピレンからなる芯成分を有する芯鞘繊維と（Ｂ）ＰＥ／ＰＰ、すなわち、ポリエチレンからなる鞘成分／ポリプロピレンからなる芯成分を有する芯鞘繊維からなる混合繊維からなり、かつ配合割合（Ａ）：（Ｂ）が９０：１０〜６０：４０であり、第２層がポリエチレン（鞘）／ポリエチレンテレフタレート（芯）構造（ＰＥ／ＰＥＴ）の繊維からなり、第１層の坪量が５〜２０ｇ／ｍ２で、第２層の坪量が５〜２０ｇ/ｍ２であり、立体ギャザーがポリプロピレンを主体とする不織布からなり、その坪量が１３〜２５ｇ／ｍ２であることを特徴とする使い捨ておむつ。
【０００９】
（２）前記トップシートと前記立体ギャザーが熱エンボス処理により接着されていることを特徴とする（１）に記載の使い捨ておむつ。
【００１０】
（３）前記おむつの両側側部には撥水性のポリプロピレンを主体とする不織布からなるサイドシートが配置され、トップシートの両側側部と重なり合う部分が熱エンボス処理により接着されて接着部が形成されていることを特徴とする（１）又は（２）に記載の使い捨ておむつ。
【００１１】
（４）前記サイドシートは、前記接着部よりおむつの内側部分に延在しており、該延在している部分により前記接着部を起立点として上方に起立する一対の立体ギャザーが形成されていることを特徴とする請求項３記載の使い捨ておむつ。
（５）前記不織布の繊維は、前記第２層が肌に当たる上側の面に使用されており、前記第１層が吸収体側の面に使用されていることを特徴とする（１）〜（４）のいずれかに記載の使い捨ておむつ。
【００１２】
（６）前記トップシートがカード不織布で形成されていることを特徴とする（１）〜（５）のいずれかに記載の使い捨ておむつ。
【発明の効果】
【００１３】
本発明の使い捨ておむつは、トップシートと立体ギャザーに上記組成の素材を使用することにより、両シートが接着剤ではなく熱エンボス又はヒートシール等の熱溶融による接着方法によって容易に接着することができるので、この種使い捨ておむつ製品で汎用されているホットメルトなどの接着剤を使用した場合の製造工程で発生するようなホットメルト接着剤の糸引きや滲み出しによる接着トラブルが発生せず、立体ギャザーが正しく形成され、脚回りの漏れ防止の効果が大きく、さらに、両シートの接合部が硬くならないので装着時の着用感が良好となる。
【００１４】
さらに、上記トップシートに上記組成の風合いの良いカード不織布を使用することにより、装着時の着用感がさらに良好になる。
【発明を実施するための最良の形態】
【００１５】
以下、図面を参照して、本発明の使い捨ておむつを詳細に説明するが、勿論、本発明はこれらによって何等制限されるものではない。
図１は、本発明の使い捨ておむつをトップシート側から見た場合の一部切り欠き平面図であり、図２は、本発明の使い捨ておむつをバックシート側から見た場合の展開平面図である。図３は、図１に示す使い捨ておむつを、Ｘ−Ｘ’線に沿って切断した断面図である。
【００１６】
図１及び図２において、使い捨ておむつ１は、液透過性のトップシート２と、液不透過性のバックシート３と、これら両シートの間に配置された吸収体４とから基本的に構成されており、着用者の腹側に位置する前身頃５と、背側に位置する後身頃６と、前後身頃の間に位置する股下部７とからなり、後身頃６の長手方向両側縁には機械的ファスナーのフック材を備えたファスニングテープ８が配置され、前身頃５のバックシート３の表面にはファスニングテープ８と係合可能なフロントシート９が配置されている。
【００１７】
また、おむつ１の長手方向に沿う両側縁部には脚周り弾性体１０が配置され、後身頃６の長手方向端縁部にはウエスト周り弾性体１１が配置されている。おむつ１の両側側部には撥水性のポリプロピレンを主体とする不織布からなるサイドシート１４が配置され、トップシート２の両側側部と重なり合う部分が熱エンボス処理により接着されて接着部１５が形成され、さらに、サイドシート１４は接着部１５よりおむつの内側に延在し、この部分により、接着部１５を起立点として、上方に起立する一対の立体ギャザー１２が形成されている。また、バックシート３の外側にはカバーシート１３が貼り合わされている。
【００１８】
図３において、使い捨ておむつ１は、液透過性のトップシート２と液不透過性のバックシート３の間に吸収体４を配置して形成されており、バックシート３の外面には、さらに、撥水性の不織布からなるカバーシート１３が配置されている。
また、おむつ１の両側側部には撥水性のポリプロピレンを主体とする不織布からなるサイドシート１４が配置され、トップシート２の両側側部と重なり合う部分が熱エンボス処理により接着されて接着部１５が形成され、さらに、サイドシート１４は接着部１５よりおむつの内側に延在し、この部分により、接着部１５を起立点として、上方に起立する一対の立体ギャザー１２が形成されている。
【００１９】
このように、トップシート２とサイドシート１４及び立体ギャザー１２を熱溶融により接着して接合部１５を形成することにより、両シートを接着剤により接着した場合のように接着剤の滲み出しや糸引きによるトラブルがないため、接着が容易で、立体ギャザーを適正位置に形成することが可能であり、さらに、接着剤を用いた場合のように接着部が固くなることがないため、着用感が良好となる。なお、本例においては、立体ギャザーとサイドシートを一体として形成したが、別体として形成してもよい。
【００２０】
本発明において、液透過性のトップシートとしては、２層の不織布からなり、第１層がＣｏＰＰ／ＰＰとＰＥ／ＰＥＴの混合繊維からなり、両者の配合割合が（ＣｏＰＰ／ＰＰ）：（ＰＥ／ＰＥＴ）=９０〜６０：１０〜４０で、坪量が５〜２０ｇ／ｍ２の不織布であり、第２層がＰＥ／ＰＥＴからなり、坪量が５〜２０ｇ／ｍ２である不織布に親水化処理を施したもの、あるいは、第１層が、ＣｏＰＰ／ＰＰとＰＥ／ＰＰの混合繊維からなり、両者の配合割合が（ＣｏＰＰ／ＰＰ）：（ＰＥ／ＰＰ）=９０〜６０：１０〜４０で、坪量が５〜２０ｇ／ｍ２の不織布であり、第２層がＰＥ/ＰＥＴからなり、坪量が５〜２０ｇ／ｍ２である不織布に親水化処理を施したものが用いられる。
【００２１】
ここで、（ＣｏＰＰ／ＰＰ）というのは、ポリプロピレンコポリマー（ＣｏＰＰ）を鞘に、ポリプロピレン（ＰＰ）を芯成分にした芯鞘繊維を示し、（ＰＥ／ＰＥＴ）というのは、ポリエチレン（ＰＥ）を鞘に、ポリエチレンテレフタレート（ＰＥＴ）を芯成分にした芯鞘繊維を示す。また、（ＰＥ／ＰＰ）というのは、ポリエチレン（ＰＥ）を鞘に、ポリプロピレン（ＰＰ）を芯成分にした芯鞘繊維を示す。
【００２２】
２種類の不織布を合わせたトップシートの合計坪量は１５〜３０ｇ／ｍ２であるのが好ましい。さらには２０〜２５ｇ／ｍ２であるのがより好ましい。
２種類の不織布の合計坪量が１５ｇ／ｍ２未満の場合には、吸収体４に含まれている高吸収性ポリマー（ＳＡＰ）がトップシートを通り抜けて出てくるというトラブルが発生し、逆に、合計坪量が３０ｇ／ｍ２を超えると、尿の通過が遅くなるという問題が発生する。
【００２３】
使い捨ておむつの製造工程においては、不織布の繊維がＰＥ／ＰＥＴである方を上側、すなわち肌に当たる面として使用し、繊維が、ＣｏＰＰ／ＰＰである方を吸収体側の面として使用する。これにより、肌に当たる側は風合いの優れたＰＥ／ＰＥＴの層となり、着用時の快適感が向上する。
【００２４】
本発明において、使い捨ておむつには、その長手方向に沿って一対の立体ギャザーが配置される。立体ギャザーはポリプロピレン樹脂を原料とした合成繊維からなる通気性を有する撥水性の不織布を用いて形成することができる。あるいは、サイドフラップを形成するサイドシートとして広幅のものを用い、サイドフラップを形成するとともにおむつの内側へ延出する部分で立体ギャザーを形成してもよい。
【００２５】
本発明において、立体ギャザーとしては、坪量が１３〜２５ｇ／ｍ２の、ＰＰ−ＳＢ（ポリプロピレンスパンボンド不織布）、ＰＰ−ＳＭＳ（ポリプロピレンスパンボンド−メルトブロー−スパンボンド積層不織布）、ＰＰ−ＳＭＭＳ（ポリプロピレンスパンボンド−メルトブロー−メルトブロー−スパンボンド積層不織布）等のポリプロピレンを主原料とするカードエンボス不織布、エアースルー不織布等の耐水性不織布等が用いられる。
【００２６】
立体ギャザーの坪量は、１３〜２５ｇ／ｍ２であるのが好ましい。さらには１８〜２２ｇ／ｍ２であるのがより好ましい。坪量が１３ｇ／ｍ２未満の場合には、立体ギャザーを尿が通過するため、尿漏れの問題が発生する。また、坪量が２５ｇ／ｍ２を超えると、立体ギャザーやおむつ全体が硬くなり柔らかい風合いが損なわれると同時に、製造コストも上昇する。
【００２７】
また、立体ギャザーの自由部の先端部領域には弾性体が配置されている。弾性体として、天然系、合成系のウレタン糸、糸ゴム、平ゴム等の通常の使い捨ておむつに使用される弾性体をそのまま使用することができ、これらの弾性体を伸長状態で自由部の先端部領域に配置し、ホットメルト接着剤などにより接着固定される。
【００２８】
本発明において、液不透過性かつ透湿性のバックシートとしては、微孔を設けたポリエチレンシート、あるいは熱可塑性樹脂にフィラーを加えて延伸したシートなどが用いられる。このようなシートを用いるとムレが改善されるため、快適な着用感が得られる。さらに、このようなシートの外側に不織布からなるカバーシートを貼り合わせるのが好ましい。
貼り合わせる不織布は、素材が〔ＰＥ（鞘）／ＰＥＴ（芯）〕繊維で、坪量が２０〜３０ｇ／ｍ２であるのが望ましい。カバーシートを貼り合わせることにより、着用感がさらに向上する。
【００２９】
本発明において、吸収体としては、通常の使い捨ておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体がティッシュのような親水性シートで包まれているものが好ましい。その他、親水性シートの片面にＳＡＰの層を設けたもの、２枚の親水性シートの間にＳＡＰの層を挟持したもの等のシート状の吸収体も使用することができる。また、吸収体の形状は、砂時計型でも矩形でもよい。
【００３０】
本発明において、脚周り開口部及びウエスト周り開口部の位置に弾性体を配置することができる。弾性体として、天然系、合成系のウレタン糸、糸ゴム、平ゴム等の通常の使い捨ておむつに使用される弾性体をそのまま使用することができ、これらの弾性体を伸長状態で配置し、ホットメルト接着剤などにより接着固定される。
【００３１】
本発明において、ファスニングテープは、各種のフィルム又は不織布シートを用い、これら材料を単独で、あるいは数種類の材料を積層して形成され、その一方の端部領域がサイドフラップに接着固定され、もう一方の端部領域にはファスナーのフック材が取り付けられる。また、フック材を取り付けた部分の外側には摘持部を有していることが好ましい。
【産業上の利用可能性】
【００３２】
本発明の使い捨ておむつは、トップシートと立体ギャザーが、装着時の着用感が良好で、熱溶融により接着しやすい繊維からなる不織布で形成されているため、装着時の肌触りが良好であり、さらに、トップシートと立体ギャザーが熱接着により容易に接着されるため、立体ギャザーが正しく形成され、脚周りのフィット性が向上し、脚周りの尿漏れ防止の効果が大きいものである。
【図面の簡単な説明】
【００３３】
【図１】本発明の使い捨ておむつをトップシート側から見た状態を示す一部切り欠き          展開平面図である。
【図２】本発明の使い捨ておむつをバックシート側から見た状態を示す展開平面図で          ある。
【図３】図１に示す本発明の使い捨ておむつをX−X’線に沿って切断した状態を示す。
【符号の説明】
【００３４】
１：使い捨ておむつ
２：トップシート
３：バックシート
４：吸収体
５：前身頃
６：後身頃
７：股下部
８：ファスニングテープ
９：フロントシート
１０：脚周り弾性体
１１：ウエスト周り弾性体
１２：立体ギャザー
１３：カバーシート
１４：サイドシート
１５：立体ギャザー接着部
【図１】
2007029610.tif 000002
【図２】
2007029610.tif 000003
【図３】
2007029610.tif 000004